(57)【特許請求の範囲】
【請求項１】
第1の基地局が、ユーザ機器（UE）のUEカテゴリに従って決定される第1のデータ割り振り情報に従って前記UEへ第1のデータを送信するステップ(300)と、
前記第1の基地局が、前記第1の基地局とキャリアアグリゲーションを行う第2の基地局に、前記UEカテゴリに従って決定される第2のデータ割り振り情報に従って前記UEへ第2のデータを送信するよう命令するステップ(310)と
を含み、
同じ送信時間間隔（TTI）において前記UEへ前記第1の基地局によって送信される前記第1のデータおよび前記第2の基地局によって送信される前記第2のデータの総量が、前記UEカテゴリに従って前記UEが受信することのできるデータの総量を超えない、通信方法。
【請求項２】
前記第1のデータ割り振り情報は、前記第1の基地局が前記UEへ前記第1のデータを送信するための第1のデータ割り振り閾値を含み、
前記第2のデータ割り振り情報は、前記第2の基地局が前記UEへ前記第2のデータを送信するための第2のデータ割り振り閾値を含む、請求項1に記載の通信方法。
【請求項３】
前記第1のデータ割り振り閾値または前記第2のデータ割り振り閾値はそれぞれ、
1TTI内に受信される最大ダウンリンク共有チャネル（DL-SCH）トランスポート・ブロック・ビット数、
1TTI内に受信される1DL-SCHトランスポートブロックの最大ビット数、および
1TTI内の最大ダウンリンク・パケット・データ収束プロトコル（PDCP）サービス・データ・ユニット（SDU）数、
の各パラメータのうちの少なくともいずれか1つを含む、請求項2に記載の通信方法。
【請求項４】
前記第1のデータ割り振り閾値または前記第2のデータ割り振り閾値はさらにそれぞれ、総ソフト・チャネル・ビット数、ダウンリンクにおける空間多重化のための最大サポートレイヤ数、および前記第1の基地局または前記第2の基地局によって前記UEへデータを送信するのに使用される多入力多出力（MIMO）モードのうちの少なくとも1つを含み、前記MIMOモードはダウンリンクにおける空間多重化のための最大サポートレイヤ数である、請求項3に記載の通信方法。
【請求項５】
第2の基地局が、ユーザ機器（UE）カテゴリに従って第1の基地局によって決定されるデータ割り振り情報を受信するステップ(700)と、
前記第2の基地局が前記データ割り振り情報に従って前記UEへデータを送信するステップ(710)と
を含み、
前記第1の基地局は前記第2の基地局とキャリアアグリゲーションを行い、同じ送信時間間隔（TTI）において前記第1の基地局および前記第2の基地局によって前記UEへ送信されるデータの総量は、前記UEカテゴリに従って前記UEが受信することのできるデータの総量を超えない、通信方法。
【請求項６】
前記データ割り振り情報は、前記第2の基地局が前記UEへデータを送信するためのデータ割り振り閾値を含む、請求項5に記載の通信方法。
【請求項７】
前記データ割り振り閾値は、前記第2の基地局によって前記UEへデータを送信するのに使用される多入力多出力（MIMO）モードをさらに含み、前記MIMOモードはダウンリンクにおける空間多重化のための最大サポートレイヤ数である、請求項6に記載の通信方法。
【請求項８】
基地局であって、
ユーザ機器（UE）カテゴリに従って決定される第1のデータ割り振り情報に従って前記UEへ第1のデータを送信する送信部(140)と、
前記基地局とキャリアアグリゲーションを行うキャリアアグリゲーション基地局に、前記UEカテゴリに従って決定される第2のデータ割り振り情報に従って前記UEへ第2のデータを送信するよう命令する命令部(141)と
を含み、
同じ送信時間間隔（TTI）において前記基地局によって前記UEへ送信される前記第1のデータおよび前記キャリアアグリゲーション基地局によって前記UEへ送信される前記第2のデータの総量は、前記UEカテゴリに従って前記UEが受信することのできるデータの総量を超えない、基地局。
【請求項９】
前記UEへ前記第1のデータを送信するための第1のデータ割り振り閾値を含む前記第1のデータ割り振り情報を決定し、前記キャリアアグリゲーション基地局が前記UEへ前記第2のデータを送信するための第2のデータ割り振り閾値を含む前記第2のデータ割り振り情報を決定する決定部をさらに含む、請求項8に記載の基地局。
【請求項１０】
前記決定部は具体的には、前記第1のデータ割り振り閾値または前記第2のデータ割り振り閾値として、1TTI内に受信される最大ダウンリンク共有チャネル（DL-SCH）トランスポート・ブロック・ビット数、1TTI内に受信される1DL-SCHトランスポートブロックの最大ビット数、および1TTI内の最大ダウンリンク・パケット・データ収束プロトコル（PDCP）サービス・データ・ユニット（SDU）数、の各パラメータのうちの少なくともいずれか1つを使用する、請求項9に記載の基地局。
【請求項１１】
前記決定部はさらに、総ソフト・チャネル・ビット数、ダウンリンクにおける空間多重化のための最大サポートレイヤ数、および前記基地局または前記キャリアアグリゲーション基地局によって前記UEへデータを送信するのに使用される多入力多出力（MIMO）モードのうちの少なくとも1つを含む前記第1のデータ割り振り閾値または前記第2のデータ割り振り閾値を決定し、前記MIMOモードはダウンリンクにおける空間多重化のための最大サポートレイヤ数である、請求項10に記載の基地局。
【請求項１２】
ユーザ機器（UE）カテゴリに従ってキャリアアグリゲーション基地局によって決定されるデータ割り振り情報を受信し、前記データ割り振り情報を送信部へ送信する受信部(151)と、
前記受信部によって送信された前記データ割り振り情報を受信し、前記データ割り振り情報に従って前記UEへデータを送信する前記送信部(150)と
を含む基地局であって、
前記キャリアアグリゲーション基地局は前記基地局とキャリアアグリゲーションを行い、同じ送信時間間隔（TTI）において前記各基地局によって前記UEへ送信されるデータの総量は、前記UEカテゴリに従って前記UEが受信することのできるデータの総量を超えない、基地局。
【請求項１３】
コンピュータに、請求項1から4、または請求項5から7のいずれか一項に記載の方法を実行させるプログラム。
【発明の詳細な説明】
【技術分野】
【０００１】
本発明は通信技術の分野に関し、詳細には、通信方法、基地局およびユーザ機器に関する。
【背景技術】
【０００２】
通信技術の急速な発展と共に、無線通信技術が、その情報伝達における利便性および効率性ならびに低費用により、幅広く応用されている。しかし、無線通信システムにおけるスペクトルリソースの要求が絶え間なく増大するに従い、無線通信システムのためのスペクトルリソースが徐々に減少している。非更新可能リソースの1種として、スペクトルリソースは、一度ある通信システムによって占有されると、別の通信システムが同時に占有することができない。通信システムおよび増大する無線通信需要においてシステム帯域幅を改善し、スペクトルリソース間の競合を解決するために、第3世代パートナーシッププロジェクト（The 3rd Generation Partnership Project、3GPP）ロング・ターム・エボルーション・アドバンスト（Long Term Evolution Advanced、LTE-A）は、スペクトルアグリゲーション、すなわち、キャリアアグリゲーション（Carrier Aggregation、CA）の技術を提供する。
【０００３】
キャリアアグリゲーション技術を用いることにより、複数の連続または非連続のコンポーネントキャリア（Component Carrier、CC）を集約してより高い帯域幅を得ることができ、それによってピークデータ速度およびシステムスループットが増大する。通信システムにおいて、キャリアアグリゲーションが構成された後で、ユーザ機器（User Equipment、UE）は、1つまたは複数の基地局（Base Station、BS）の管理エリア内の複数のサービングセル（Serving Cell）を用いてネットワーク通信を確立することができる。異なるサービングセルに対応するキャリアコンポーネントの周波数は普通、異なる。
【０００４】
現在、キャリアアグリゲーションを構成するプロセスにおいては、コンポーネントキャリアを、同じ基地局が提供することもでき、異なる基地局が提供することもできる。前者を基地局内キャリアアグリゲーション（Intra-BS CA）といい、後者を基地局間キャリアアグリゲーション（Inter-BS CA）という。
【０００５】
基地局内キャリアアグリゲーションでは、LTE-Aシステムにおいて、複数の同サイトのコンポーネントキャリアが基地局によって提供され、または複数の非同サイトのコンポーネントキャリアが基地局および基地局のリモート・ラジオ・ヘッド（Remote Radio Head、RRH）によって別々に提供される。基地局は、特定の無線状態（例えば、チャネル品質やパイロット信号強度）およびサービス状態に従って、前述の複数のコンポーネントキャリアの共通カバレッジエリアに位置するUEのためのキャリアアグリゲーションを構成する。
【０００６】
基地局間キャリアアグリゲーションでは、UEは、キャリアアグリゲーション構成に関与する1つまたは複数の基地局と無線接続関係を確立する、すなわち、1つまたは複数の基地局の管理エリア内の複数のサービングセルとネットワーク通信を確立することができる。基地局間キャリアアグリゲーションを構成するプロセスにおいては、普通、1つの基地局（以下で第1の基地局という）がデータ分割／収束に責任を負う。第1の基地局は、ダウンリンクデータの一部、例えばパケットデータ収束プロトコル（Packet Data Convergence Protocol、PDCP）プロトコル・データ・ユニット（Protocol Data Unit、PDU）や無線リンク制御（Radio Link Control、RLC）PDUを、1つまたは複数の他の基地局（以下で第2の基地局という）へ送信する。理解できるように、基地局間キャリアアグリゲーションにおいて、UEは、複数の基地局の無線リンクを用いてダウンリンクデータを受信し、複数の基地局の無線リンクを用いてアップリンクデータを送信することができ、前述の第2の基地局のうちの少なくとも1つによって受信されるUEのすべてのアップリンクデータは、データ分割／収束に責任を負う第1の基地局へ送信される。図1を参照すると、図1はLTEシステムにおける基地局間キャリアアグリゲーションの概略図である。第1の基地局eNB1および第2の基地局eNB2がUEを独立して別々にスケジュールする。
【０００７】
無線通信システムにおいては、UEが基地局と無線リソース制御（Radio Resource Control、RRC）接続を確立した後で、基地局はUEをスケジュールする。基地局間キャリアアグリゲーションにおいては、キャリアアグリゲーションに関与する複数の基地局がUEを独立して別々にスケジュールする。バックホールリンク（backhaul）が望ましい状態にない場合には、図1を参照すると、第1の基地局eNB1はUEへ第1のトランスポートブロックTB1を送信し、第2の基地局eNB2はUEへ第2のトランスポートブロックTB2を送信し、第1のトランスポートブロックTB1および第2のトランスポートブロックTB2に対応するビットの総数がUEのベアラ能力を超え、UEがトランスポートブロックのうちの1つを受信できず、または両方のトランスポートブロックを受信できない事態を生じる。
【０００８】
理解できるように、基地局間キャリアアグリゲーション時に、複数の基地局がUEへ過度に大量のデータを送信すると、UEは一部または全部の受信すべきデータを廃棄することが必要になり、データ受信誤りが生じる。
【発明の概要】
【課題を解決するための手段】
【０００９】
本発明の実施形態は、基地局間キャリアアグリゲーションのプロセスにおいて複数の基地局がUEを独立してスケジュールする場合に生じるデータ受信の失敗の問題を解決するための、通信方法、基地局およびユーザ機器を提供する。
【００１０】
第1の態様によれば、通信方法が提供され、本通信方法は、
【００１１】
第1の基地局が、ユーザ機器（UE）の無線アクセス能力に従って決定される第1のデータ割り振り情報に従ってUEへ第1のデータを送信するステップと、
第1の基地局が、第1の基地局とキャリアアグリゲーションを行う第2の基地局に、UEの無線アクセス能力に従って決定される第2のデータ割り振り情報に従ってUEへ第2のデータを送信するよう命令するステップと
を含み、
同じ送信時間間隔（TTI）において第1の基地局によってUEへ送信される第1のデータおよび第2の基地局によってUEへ送信される第2のデータの総量は、UEの無線アクセス能力に従ってUEが受信することのできるデータの総量を超えない。
【００１２】
第1の態様に関連して、第1の可能な実施態様において、第1のデータ割り振り情報は、第1の基地局がUEへ第1のデータを送信するためのデータ割り振り閾値、および／または第1の基地局がUEへ第1のデータを送信するためのデータ割り振りタイミング情報を含み、第2のデータ割り振り情報は、第2の基地局がUEへ第2のデータを送信するためのデータ割り振り閾値、および／または第2の基地局がUEへ第2のデータを送信するためのデータ割り振りタイミング情報を含む。
【００１３】
第1の態様の第1の可能な実施態様に関連して、第2の可能な実施態様において、データ割り振り情報がデータ割り振り閾値を含む場合に、データ割り振り閾値は、1TTI内に受信される最大ダウンリンク共有チャネル（DL-SCH）トランスポート・ブロック・ビット数、1TTI内に受信される1DL-SCHトランスポートブロックの最大ビット数、総ソフト・チャネル・ビット数、ダウンリンクにおける空間多重化のための最大サポートレイヤ数、および1TTI内の最大ダウンリンク・パケット・データ収束プロトコル（PDCP）サービス・データ・ユニット（SDU）数、の各パラメータのうちの少なくともいずれか1つを含む。
【００１４】
第1の態様の第1の可能な実施態様に関連して、第3の可能な実施態様において、データ割り振り情報がデータ割り振りタイミング情報を含む場合に、データ割り振りタイミング情報はサブフレーム情報を含み、第1の基地局または第2の基地局はサブフレーム情報に従ってUEへデータを送信する。
【００１５】
第1の態様の第3の可能な実施態様に関連して、第4の可能な実施態様において、第1の基地局はUEへサブフレームビットマップを送信し、サブフレームビットマップは、第1の基地局がUEへ第1のデータを送信するときに占有されるサブフレーム番号、および第2の基地局がUEへ第2のデータを送信するときに占有されるサブフレーム番号を含む。
【００１６】
第1の態様の第3の可能な実施態様に関連して、第5の可能な実施態様において、第1の基地局は第2の基地局に、対応するサブフレームでUEへデータを送信するよう命令する。
【００１７】
第1の態様の第1の可能な実施態様または第1の態様の第5の可能な実施態様に関連して、第6の可能な実施態様において、データ割り振り閾値は、第1の基地局または第2の基地局によってUEへデータを送信するのに使用される多入力多出力（MIMO）モードを含み、MIMOモードはダウンリンクにおける空間多重化のための最大サポートレイヤ数である。
【００１８】
第1の態様の第1の可能な実施態様から第6の可能な態様に関連して、第7の可能な実施態様において、第1の基地局は、UEによって送信される信号品質パラメータおよびUEに対応する識別情報を受信し、第1の基地局は、UEに対応する識別情報に従ってUEの無線アクセス能力パラメータを獲得し、信号品質パラメータおよびUEの無線アクセス能力パラメータに従って、第1の基地局は第1のデータ割り振り情報を決定し、第2の基地局の第2のデータ割り振り情報を決定する。
【００１９】
第1の態様の第1の可能な実施態様から第6の可能な態様に関連して、第8の可能な実施態様において、第1の基地局は事前設定期間に従って第1のデータ割り振り情報および第2のデータ割り振り情報を決定し、または第1の基地局はUEによって報告された測定報告もしくはサービス品質（QoS）に従って第1のデータ割り振り情報および第2のデータ割り振り情報を決定する。
【００２０】
第1の態様の第8の可能な実施態様に関連して、第9の可能な実施態様において、第1の基地局は第2の基地局へ測定報告を送信し、第2の基地局に、測定報告に従って第2のデータ割り振り情報を更新するよう命令し、第1の基地局は第2の基地局によって送信された、更新された第2のデータ割り振り情報を受信する。
【００２１】
第1の態様に関連して、第10の可能な実施態様において、第1のデータ割り振り情報および第2のデータ割り振り情報は各々、データ割り振り有効時間をさらに含み、第1の基地局が、UEの無線アクセス能力に従って決定される第1のデータ割り振り情報に従ってUEへ第1のデータを送信するステップは具体的には、第1の基地局が、第1のデータ割り振り情報に含まれるデータ割り振り有効時間に対応する時間に、第1のデータ割り振り情報に従ってUEへ第1のデータを送信するステップ、を含み、第1の基地局が第2の基地局に、UEの無線アクセス能力に従って決定される第2のデータ割り振り情報に従ってUEへ第2のデータを送信するよう命令するステップは具体的には、第1の基地局が第2の基地局に、第2のデータ割り振り情報に含まれるデータ割り振り有効時間に対応する時間に、第2のデータ割り振り情報に従ってUEへ第2のデータを送信するよう命令するステップ、を含む。
【００２２】
第1の態様の第1の可能な実施態様から第10の可能な実施態様に関連して、第11の可能な実施態様において、第1の基地局は、UEによって送信されたハイブリッド自動再送要求（HARQ）フィードバック情報または無線リンク制御（RLC）状況報告を受信し、HARQフィードバック情報またはRLC状況報告に従って、UEへデータを送信するための速度を調整する。
【００２３】
第2の態様によれば、通信方法が提供され、本通信方法は、
第2の基地局が、ユーザ機器（UE）の無線アクセス能力に従って第1の基地局によって決定されるデータ割り振り情報を受信するステップと、
第2の基地局が、データ割り振り情報に従ってUEへデータを送信するステップと
を含み、
第1の基地局は第2の基地局とキャリアアグリゲーションを行い、同じ送信時間間隔（TTI）において第1の基地局および第2の基地局によってUEへ送信されるデータの総量は、UEの無線アクセス能力に従ってUEが受信することのできるデータの総量を超えない。
【００２４】
第2の態様に関連して、第1の可能な実施態様において、第2の基地局は、データ割り振り情報に含まれるデータ割り振り有効時間に従って、データ割り振り有効時間に対応する時間に、UEへデータを送信する。
【００２５】
第2の態様に関連して、第2の可能な実施態様において、データ割り振り情報は、第2の基地局がUEへデータを送信するためのデータ割り振り閾値、および／または第2の基地局がUEへデータを送信するためのデータ割り振りタイミング情報を含む。
【００２６】
第2の態様の第2の可能な実施態様に関連して、第3の可能な実施態様において、データ割り振り情報がデータ割り振りタイミング情報を含む場合に、データ割り振りタイミング情報はサブフレーム情報を含み、第2の基地局はサブフレーム情報に従ってUEへデータを送信する。
【００２７】
第2の態様の第3の可能な実施態様に関連して、第4の可能な実施態様において、サブフレーム情報がサブフレームビットマップを含む場合に、本方法は、第2の基地局がUEへサブフレームビットマップを送信するステップ、をさらに含み、サブフレームビットマップは、第1の基地局がUEへデータを送信するときに占有されるサブフレーム番号、および第2の基地局がUEへデータを送信するときに占有されるサブフレーム番号を含む。
【００２８】
第2の態様の第2の可能な実施態様または第2の態様の第3の可能な実施態様に関連して、第5の可能な実施態様において、データ割り振り情報がデータ割り振り閾値を含む場合に、データ割り振り閾値は、第2の基地局によってUEへデータを送信するのに使用される多入力多出力（MIMO）モードを含み、MIMOモードはダウンリンクにおける空間多重化のための最大サポートレイヤ数である。
【００２９】
第2の態様の第1の可能な実施態様から第5の可能な態様に関連して、第6の可能な実施態様において、第2の基地局は、UEによって報告された測定報告に従って、第1の基地局へ更新されたデータ割り振り情報を送信する。
【００３０】
第2の態様の第1の可能な実施態様から第6の可能な態様に関連して、第7の可能な実施態様において、第2の基地局は、UEによって送信されたハイブリッド自動再送要求（HARQ）フィードバック情報または無線リンク制御（RLC）状況報告を受信し、HARQフィードバック情報またはRLC状況報告に従って、UEへデータを送信するための速度を調整する。
【００３１】
第3の態様によれば、通信方法が提供され、本通信方法は、
ユーザ機器（UE）が、第1のデータ割り振り情報に従って第1の基地局によって送信される第1のデータを受信するステップと、
UEが、第2のデータ割り振り情報に従って第2の基地局によって送信される第2のデータを受信するステップと
を含み、
第1のデータ割り振り情報および第2のデータ割り振り情報は、UEの無線受信能力に従って第1の基地局によって決定され、同じ送信時間間隔（TTI）においてUEによって受信される、第1の基地局によって送信される第1のデータおよび第2の基地局によって送信される第2のデータの総量は、UEの無線アクセス能力に従ってUEが受信することのできるデータの総量を超えない。
【００３２】
第3の態様に関連して、第1の可能な実施態様において、第1のデータ割り振り情報は、第1の基地局がUEへ第1のデータを送信するためのデータ割り振り閾値、および／または第1の基地局がUEへ第1のデータを送信するためのデータ割り振りタイミング情報を含み、第2のデータ割り振り情報は、第2の基地局がUEへ第2のデータを送信するためのデータ割り振り閾値、および／または第2の基地局がUEへ第2のデータを送信するためのデータ割り振りタイミング情報を含む。
【００３３】
第3の態様の第1の可能な実施態様に関連して、第2の可能な実施態様において、データ割り振り情報がデータ割り振りタイミング情報を含む場合に、データ割り振りタイミング情報はサブフレーム情報を含み、第1の基地局または第2の基地局はサブフレーム情報に従ってUEへデータを送信する。
【００３４】
第3の態様の第2の可能な実施態様に関連して、第3の可能な実施態様において、UEは第1の基地局および／または第2の基地局によって送信されたサブフレームビットマップを受信し、サブフレームビットマップは、第1の基地局がUEへ第1のデータを送信するときに占有されるサブフレーム番号、および第2の基地局がUEへ第2のデータを送信するときに占有されるサブフレーム番号を含み、UEは、サブフレームビットマップに従って、第1の基地局がUEへ第1のデータを送信するときに占有されるサブフレーム番号に対応するサブフレームで、第1の基地局によって送信された第1のデータを受信し、第2の基地局がUEへ第2のデータを送信するときに占有されるサブフレーム番号に対応するサブフレームで、第2の基地局によって送信された第2のデータを受信する。
【００３５】
第3の態様の第1の可能な実施態様から第3の可能な実施態様に関連して、第4の可能な実施態様において、UEは、第1の基地局に対応する第1のデータ送信速度および第2の基地局に対応する第2のデータ送信速度を獲得し、UEが、第1のデータ送信速度と第2のデータ送信速度との差の絶対値が事前設定閾値より大きいと判定した場合に、第1の基地局または第2の基地局にデータ送信速度を調整するよう通知する。
【００３６】
第4の態様によれば、基地局が提供され、本基地局は、
ユーザ機器（UE）の無線アクセス能力に従って決定される第1のデータ割り振り情報に従ってUEへ第1のデータを送信する送信部と、
本基地局とキャリアアグリゲーションを行うキャリアアグリゲーション基地局に、UEの無線アクセス能力に従って決定される第2のデータ割り振り情報に従ってUEへ第2のデータを送信するよう命令する命令部と
を含み、
同じ送信時間間隔（TTI）において本基地局によってUEへ送信される第1のデータおよびキャリアアグリゲーション基地局によってUEへ送信される第2のデータの総量は、UEの無線アクセス能力に従ってUEが受信することのできるデータの総量を超えない。
【００３７】
第5の態様によれば、基地局が提供され、本基地局は、
ユーザ機器（UE）の無線アクセス能力に従って第1の基地局によって決定されるデータ割り振り情報を受信し、データ割り振り情報をデータ送信部へ送信する受信部と、
受信部によって送信されたデータ割り振り情報を受信し、データ割り振り情報に従ってUEへデータを送信する送信部と
を含み、
第1の基地局は本基地局とキャリアアグリゲーションを行い、同じ送信時間間隔（TTI）において各基地局によってUEへ送信されるデータの総量は、UEの無線アクセス能力に従ってUEが受信することのできるデータの総量を超えない。
【００３８】
第6の態様によれば、ユーザ機器が提供され、本UEは、
第1のデータ割り振り情報に従って第1の基地局によって送信される第1のデータを受信するデータ受信部
を含み、
データ受信部はさらに、第2のデータ割り振り情報に従って第2の基地局によって送信される第2のデータを受信し、第1のデータ割り振り情報および第2のデータ割り振り情報はUEの無線受信能力に従って第1の基地局によって決定され、同じ送信時間間隔（TTI）においてUEによって受信される、第1の基地局によって送信される第1のデータおよび第2の基地局によって送信される第2のデータの総量は、UEの無線アクセス能力に従ってUEが受信することのできるデータの総量を超えない。
【００３９】
本発明の実施形態においては、第1の基地局が、UEの無線アクセス能力に従って決定される第1のデータ割り振り情報に従ってUEへ第1のデータを送信し、第2の基地局が、UEの無線アクセス能力に従って第1の基地局によって決定される第2のデータ割り振り情報に従ってUEへ第2のデータを送信し、第1の基地局は第2の基地局とキャリアアグリゲーションを行い、同じTTIにおいて第1の基地局および第2の基地局によってUEへ送信されるデータの総量は、UEの無線アクセス能力に従って受信することのできるデータの総量を超えない。本発明の技術的解決策を用いることにより、キャリアアグリゲーションに関与する複数の基地局をUEにダウンリンクリソースを割り振るために協調させることができ、そのため、UEへ送信されるデータの量がUEの無線アクセス能力を満足させ、それによって、UEが受信するデータ正しさが保証される。
【図面の簡単な説明】
【００４０】
【図１】先行技術における、複数の基地局がUEを独立して別々にスケジュールする場合の情報交換の概略図である。
【図２】本発明の一実施形態による複数の基地局がUEをスケジュールする場合のシステムアーキテクチャ図である。
【図３】本発明の一実施形態による複数の基地局がUEを別々にスケジュールする場合の通信プロセスの詳細な流れ図1である。
【図４】本発明の一実施形態による複数の基地局がUEを独立して別々にスケジュールする場合の情報交換の概略図1である。
【図５】本発明の一実施形態による異なる基地局のための異なるサブフレーム情報の割り振りの概略図である。
【図６】本発明の一実施形態による複数の基地局がUEを独立して別々にスケジュールする場合の情報交換の概略図2である。
【図７】本発明の一実施形態による複数の基地局がUEを別々にスケジュールする場合の通信プロセスの詳細な流れ図2である。
【図８】本発明の一実施形態による複数の基地局がUEを別々にスケジュールする場合の通信プロセスの詳細な流れ図3である。
【図９】本発明の一実施形態による複数の基地局がUEを別々にスケジュールする場合の通信プロセスの詳細な流れ図4である。
【図１０】本発明の一実施形態による具体的な適用シナリオにおける複数の基地局がUEを別々にスケジュールする場合の通信プロセスの詳細な流れ図1である。
【図１１】本発明の一実施形態による具体的な適用シナリオにおける複数の基地局がUEを別々にスケジュールする場合の通信プロセスの詳細な流れ図2である。
【図１２】本発明の一実施形態による具体的な適用シナリオにおける複数の基地局がUEを別々にスケジュールする場合の通信プロセスの詳細な流れ図3である。
【図１３】本発明の一実施形態による具体的な適用シナリオにおける複数の基地局がUEを別々にスケジュールする場合の通信プロセスの詳細な流れ図4である。
【図１４】本発明の一実施形態による複数の基地局がUEを別々にスケジュールするプロセスにおける基地局の概略的構造図1である。
【図１５】本発明の一実施形態による複数の基地局がUEを別々にスケジュールするプロセスにおける基地局の概略的構造図2である。
【図１６】本発明の一実施形態による複数の基地局がUEを別々にスケジュールするプロセスにおけるUEの概略的構造図である。
【図１７】本発明の一実施形態による複数の基地局がUEを別々にスケジュールするプロセスにおける基地局デバイスの概略図1である。
【図１８】本発明の一実施形態による複数の基地局がUEを別々にスケジュールするプロセスにおける基地局デバイスの概略図2である。
【図１９】本発明の一実施形態による複数の基地局がUEを別々にスケジュールするプロセスにおけるユーザ機器の概略図である。
【発明を実施するための形態】
【００４１】
本発明の実施形態の目的、技術的解決策、および利点をより明確にするために、以下で、本発明の実施形態における添付の図面に関連して本発明の実施形態における技術的解決策を明確かつ十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００４２】
本発明の技術解決策は、モバイル通信用グローバルシステム（Global System of Mobile communication、GSM(登録商標)）、符号分割多元接続（Code Division Multiple Access、CDMA）システム、広帯域符号分割多元接続（Wideband Code Division Multiple Access、WCDMA(登録商標)）システム、汎用パケット無線サービス（General Packet Radio Service、GPRS）、ロング・ターム・エボルーション（Long Term Evolution、LTE）システム、ロング・ターム・エボルーション・アドバンスト（Advanced long term evolution、LTE-A）、ユニバーサル移動通信システム（Universal Mobile Telecommunication System、UMTS）といった様々な通信システムに適用できることを理解すべきである。
【００４３】
本発明の実施形態において、ユーザ機器（UE、User Equipment）は、それだけに限らないが、移動局（MS、Mobile Station）、移動端末（Mobile Terminal）、携帯電話（Mobile Telephone）、ハンドセット（handset）、携帯型機器（portable equipment）などを含むことをさらに理解すべきである。ユーザ機器は無線アクセスネットワーク（RAN、Radio Access Network）を用いて1つまたは複数のコアネットワークと通信することができる。例えば、ユーザ機器は携帯電話（または「セルラー」電話という）とすることもでき、無線通信機能を有するコンピュータとすることもできる。ユーザ機器はさらに、携帯型装置、ポケットサイズ装置、ハンドヘルド装置、コンピュータ内蔵式装置、または車内モバイル装置とすることもできる。
【００４４】
本発明の実施形態においては、基地局（例えばアクセスポイント）は、アクセスネットワーク内のエアインターフェースにおいて1つまたは複数のセクタを介して無線端末と通信するデバイスを指す場合もある。基地局は、受信される無線通信経由のフレームおよびIPパケットを相互に変換し、無線端末とアクセスネットワークの残りの部分との間のルータとして働くことができ、アクセスネットワークの残りの部分はインターネットプロトコル（IP）ネットワークを含むことができる。また基地局はエアインターフェースの属性管理を調整することもできる。例えば、基地局は、GSM(登録商標)またはCDMAにおける基地局（BTS、Base Transceiver Station）とすることもでき、またWCDMA(登録商標)における基地局（NodeB）とすることもでき、さらに、LTEにおける進化型NodeB（NodeB、eNB、もしくはe-NodeB、evolutional Node B）とすることもでき、これについて本発明では限定されない。
【００４５】
基地局間キャリアアグリゲーションにおいて複数の基地局がUEを独立してスケジュールする場合に生じるデータ受信の失敗の問題を解決するために、本発明の実施形態においては、第1の基地局が、UEの無線アクセス能力に従って決定される第1のデータ割り振り情報に従ってUEへ第1のデータを送信し、第2の基地局が、UEの無線アクセス能力に従って第1の基地局によって決定される第2のデータ割り振り情報に従ってUEへ第2のデータを送信し、第1の基地局は第2の基地局とキャリアアグリゲーションを行い、同じTTIにおいて第1の基地局および第2の基地局によってUEへ送信されるデータの総量は、UEの無線アクセス能力に従って受信することのできるデータの総量を超えない。本発明の技術的解決策を用いることにより、キャリアアグリゲーションに関与する複数の基地局をUEにダウンリンクリソースを割り振るために協調させることができ、そのため、UEへ送信されるデータの量がUEの無線アクセス能力を満足させ、それによって、UEが受信するデータ正しさが保証される。
【００４６】
本発明の技術的解決策は3Gネットワークおよび4Gネットワークに適用可能である。本発明の実施形態においては、詳細な説明のための例としてLTEが使用される。LTEネットワークのネットワークシステムのアーキテクチャ図については図2を参照されたい。第1の基地局はデータ分割／収束に責任を負う基地局であり、第1の基地局、第2の基地局1および第2の基地局2は、キャリアアグリゲーションに関与し、UEにダウンリンクリソースを割り振る。本発明の技術的解決策におけるネットワークシステムは、2つの基地局（すなわち、第1の基地局および第2の基地局）を含むこともでき、少なくとも3つの基地局（すなわち、第1の基地局および少なくとも2つの第2の基地局）を含むこともできる。本発明の実施形態においては、ネットワークシステムが2つの基地局を含む例が詳細な説明に使用される。
【００４７】
本発明の例示的実施形態を以下で添付の図面に関連して詳細に説明する。
【００４８】
図3を参照すると、本発明の一実施形態において、第1の基地局が基地局間キャリアアグリゲーションを制御してデータ送信を行う詳細なプロセスは以下のとおりである。
【００４９】
ステップ300：第1の基地局が、UEの無線アクセス能力に従って決定される第1のデータ割り振り情報に従ってUEへ第1のデータを送信する。
【００５０】
本発明の本実施形態においては、同じTTIにおいて第1の基地局および第2の基地局によってUEへ送信されるデータの総量は、UEの無線アクセス能力に従って受信することのできるデータの総量を超えない。異なるカテゴリのUEは異なる無線アクセス能力を有する。関連する規格において、LTE  UEの8つのカテゴリについてのダウンリンク物理層パラメータ値（すなわち、UEの無線アクセス能力）が、表1に示すように指定されている。
【００５１】
【表１】
0006478246.tif 000002
【００５２】
表1から、UEカテゴリ（UE-Category）は、各UEカテゴリに対応するダウンリンク能力とアップリンク能力の組み合わせを定義していることがわかる。パラメータ「1送信時間間隔（Transmission Time Interval、TTI）内に受信される最大ダウンリンク共有チャネル（Downlink Shared Channel、DL-SCH）トランスポート・ブロック・ビット数（Maximum number of DL-SCH transport Block bits Received within a TTI）」は、1DL-SCH  TTI内にUEが受信することのできる最大DL-SCHトランスポート・ブロック・ビット数を定義し、UEカテゴリによってサポートされるピークデータ速度を表す。パラメータ「1TTI内に受信される1DL-SCHトランスポートブロックの最大ビット数（Maximum number of bits of a DL-SCH transport block received within a TTI）」は、1DL-SCH  TTI内に1つのトランスポートブロックにおいてUEが受信することのできる最大DL-SCHトランスポート・ブロック・ビット数を定義する。パラメータ「総ソフト・チャネル・ビット数（Total number of soft channel bits）」は、ハイブリッド自動再送要求（Hybrid Automatic Retransmission request、HARQ）処理に利用可能な（available）ソフト・チャネル・ビット数を定義する。パラメータ「ダウンリンクにおける空間多重化のための最大サポートレイヤ数（Maximum number of supported layers for spatial multiplexing in DL）」は、ダウンリンク多入力多出力（Multiple Input Multiple Output、MIMO）アンテナにおける空間多重化操作のための最大サポートレイヤ数を定義する。LTEシステムにおいては、1TTIの長さは1サブフレーム（subframe）の長さ（1ms）である。
【００５３】
関連する規格において、1TTI内の最大ダウンリンクPDCPサービス・データ・ユニット（service data unit、SDU）数が、図2に示すように指定されている。
【００５４】
【表２】
0006478246.tif 000003
【００５５】
表1および表2のすべてのパラメータは、UEの無線アクセス能力を表すパラメータである。
【００５６】
本発明の本実施形態においては、第1の基地局が第1の基地局の第1のデータ割り振り情報および第2の基地局の第2のデータ割り振り情報を決定するプロセスは、第1の基地局がUEによって報告された測定報告を受信し、少なくとも1つの基地局のサービングセルの信号品質パラメータおよび測定報告で搬送されるUEに対応する識別情報を獲得し、第1の基地局が、信号品質パラメータおよびUEに対応する識別情報に従って、第1の基地局の第1のデータ割り振り情報および第2の基地局の第2のデータ割り振り情報を獲得することであり、データ割り振り情報はデータ割り振り閾値および／またはデータ割り振りタイミング情報を含む。前述のプロセスから、データ割り振り情報は信号品質パラメータに従って獲得され、信号品質パラメータは、第1の基地局の管理エリア内のサービングセルおよび第2の基地局の管理エリア内のサービングセルに対応する負荷、無線状態、データ分割アルゴリズムおよびトラフィック制御状況に関連するものであり、したがって、第1のデータ割り振り情報および第2のデータ割り振り情報は、第1の基地局の管理エリア内のサービングセルおよび第2の基地局の管理エリア内のサービングセルに対応する負荷、無線状態、データ分割アルゴリズムおよびトラフィック制御状況と共に変動することがわかる。
【００５７】
前述のプロセスにおいて、第1の基地局が、信号品質パラメータおよびUEに対応する識別情報に従って、第1のデータ割り振り情報および第2のデータ割り振り情報を獲得するプロセスは、第1の基地局がUEに対応する識別情報に従ってUEの無線アクセス能力パラメータを獲得し、信号品質パラメータおよびUEの無線アクセス能力パラメータに従って、第1の基地局が第1の基地局の第1のデータ割り振り情報を決定し、第2の基地局の第2のデータ割り振り情報を決定することである。本発明の本実施形態においては、第1の基地局の第1のデータ割り振り情報および第2の基地局の第2のデータ割り振り情報は信号品質パラメータに従って獲得される。ある基地局の管理エリア内のサービングセルに対応する信号品質がより良い場合、より大量の送信されるべきデータをその基地局に割り振ることができ、そのため、より良い信号品質を有する基地局がより大量の送信されるべきデータを搬送し、これにより事実上システムのスループットが高まる。
【００５８】
任意選択で、データ割り振り情報はデータ割り振り有効時間も含むことができる。データ割り振り有効時間は第1の基地局によって事前設定され、第1の基地局は、第2の基地局が、データ割り振り有効時間に従って、第2の基地局がUEへデータを送信する時間を処理するように、データ割り振り有効時間を第2の基地局へ送信する。データ割り振り有効時間は、タイムスタンプ（time stamp）情報といったタイムポイントの形を取ることもでき、SFM（フレーム番号）といった絶対時間情報システムフレーム番号の形を取ることもできる。
【００５９】
基地局間キャリアアグリゲーションを構成するプロセスにおいて、第1の基地局は、事前設定期間に従って、UEへ第1のデータを送信するための第1のデータ割り振り情報を決定し、第1の基地局とキャリアアグリゲーションを行う第2の基地局がUEへ第2のデータを送信するための第2のデータ割り振り情報を決定することができ、また第1の基地局は、UEによって報告された測定報告またはサービス品質（Quality of Service、QoS）に従って、第2のデータ割り振り情報が第2の基地局へ送信される必要があると判定したときに、第1のデータ割り振り情報および第2のデータ割り振り情報を獲得することもできる。具体的には、第1の基地局が、UEによって報告された測定報告またはQoSに従って、第1の基地局および第2の基地局によってUEへ同時に送信されるデータの量がUEの無線アクセス能力に従って受信することのできるデータの総量より多いと判定したときに、第1の基地局は、UEへ第1のデータを送信するための第1のデータ割り振り情報を決定し、第2の基地局がUEへ第2のデータを送信するための第2のデータ割り振り情報を決定する。
【００６０】
本発明の本実施形態においては、データ割り振り情報に含まれるデータ割り振り閾値は、UEに対応するUEの無線アクセス能力パラメータに従って獲得される。具体的には、データ割り振り閾値は、1TTI内に受信される最大DL-SCHトランスポート・ブロック・ビット数、1TTI内に受信される1DL-SCHトランスポートブロックの最大ビット数、総ソフト・チャネル・ビット数、ダウンリンクにおける空間多重化のための最大サポートレイヤ数、および1TTI内の最大PDCP  SDU数、の各パラメータのうちの1つまたはこれらの任意の組み合わせを含む。第1の基地局が第2の基地局へデータ割り振り閾値を含む第2のデータ割り振り情報を送信する場合に、第1の基地局および第2の基地局は、データ割り振り情報に従ってUEへ事前設定量のデータを送信することができる。図4に示すように、UEの無線アクセス能力パラメータがTBである場合、第1の基地局によってUEへ送信されるデータの量はTB1であり、第2の基地局によってUEへ送信されるデータの量はTB2であり、TB1＋TB2≦TBであり、第1の基地局および第2の基地局がUEへ同時にデータを送信する場合の1TTI内のデータの総量はUEのベアラ能力を超えない。任意選択で、第1のデータ割り振り情報に含まれるデータ割り振り閾値および第2のデータ割り振り情報に含まれるデータ割り振り閾値の総和は、UEの無線アクセス能力に従って受信することのできるデータの総量と等しい。データ割り振り閾値がUEの複数の無線アクセス能力パラメータを含む場合には、第1の基地局によって第1の基地局と第2の基地局とに割り振られるデータ量に関する情報が前述の複数のパラメータすべてを満足させる必要がある。加えて、第1の基地局は第2の基地局へ、データ割り振り比率およびUEの無線アクセス能力パラメータを含む第2のデータ割り振り情報を送信することもでき、第2の基地局に、データ割り振り比率およびUEの無線アクセス能力パラメータに従ってデータ割り振り閾値を獲得するよう命令する。
【００６１】
加えて、本発明の本実施形態においては、データ割り振り情報はサブフレーム情報を含む。第1の基地局および第2の基地局はサブフレーム情報に従ってUEへデータを送信することができる。すなわち、サブフレーム情報は、第1の基地局によって第1の基地局に割り振られた少なくとも1つのサブフレーム番号および第1の基地局によって第2の基地局に割り振られた少なくとも1つのサブフレーム番号を含む。
【００６２】
任意選択で、第1の基地局は、第1の基地局に割り振られた少なくとも1つのサブフレーム番号（以下では第1のサブフレーム番号という）および第2の基地局に割り振られた少なくとも1つのサブフレーム番号（以下では第2のサブフレーム番号という）に従って、送信サブフレームビットマップ（subframe bitmap）を獲得する。すなわち、サブフレームビットマップは、第1の基地局および第2の基地局がUEへデータを送信するときに別々に占有されるサブフレーム番号を含む。第1の基地局は、事前設定時間にUEへサブフレームビットマップを送信し、UEに、送信サブフレームビットマップに従って、第1の基地局の第1のサブフレーム番号に対応するサブフレームで、第2の基地局の管理エリア内のサービングセルにおいて非アクティブ不連続受信状態に切り換わるよう命令する。加えて、第1の基地局は、図5に示すように、事前設定時間にUEへサブフレームビットマップおよびデータ割り振り有効時間を送信し、UEに、データ割り振り有効時間および送信サブフレームビットマップに従って、データ割り振り有効時間に対応する時間後の第1の基地局の第1のサブフレーム番号に対応するサブフレームで、第2の基地局の管理エリア内のサービングセルにおいて非アクティブ不連続受信状態に切り換わるよう命令することもできる。
【００６３】
事前設定時間は、第1の基地局による第2の基地局への第2のデータ割り振り情報の送信の前であってもよく、第1の基地局による第2の基地局への第2のデータ割り振り情報の送信時でもよく、さらに、第1の基地局による第2の基地局への第2のデータ割り振り情報の送信後でもよい。さらに、第1のサブフレーム番号と第2のサブフレーム番号とは異なる。例えば、第1のサブフレーム番号が1から5であることは、第1の基地局がフレームのサブフレーム1からサブフレーム5でUEへデータを送信することを指示し、第2のサブフレーム番号が6から10であることは、第2の基地局がフレームのサブフレーム6からサブフレーム10でUEへデータを送信することを指示する。すなわち、異なる基地局が異なるサブフレームでUEへデータを送信する。この場合には、各サブフレームで1つの基地局だけがUEへデータを送信し、基地局がUEの無線アクセス能力パラメータを獲得した後で、基地局は、UEへ送信されるデータの量がUEの無線アクセス能力に従って受信することのできるデータの総量を満足させることを制御することができる。
【００６４】
前述のプロセスにおいて、非アクティブ不連続受信状態は、UEがアクティブタイム（active time）ではないことを意味する。非アクティブ状態に対応するサブフレームで、UEは、物理ダウンリンク制御チャネル（Physical Downlink Control Channel、PDCCH）をリッスンせず、物理ダウンリンク共有チャネル（Physical Downlink Shared Channel、PDSCH）を受信せず、周期的なサウンディング参照信号（Sounding Reference Signal、SRS）やチャネル品質情報（Channel Quality Indication、CQI）といった情報を送信せず、物理アップリンク共有チャネル（Physical Uplink Shared Channel、PUSCH）上でアップリンク情報を送信しない。本発明の技術的解決策を用いることにより、第1の基地局の第1のサブフレーム番号において、UEは、第2の基地局の管理エリア内のサービングセルのPDCCHをリッスンすることができず、それによって事実上UEのエネルギー消費が低減されることがわかる。
【００６５】
本発明の本実施形態においては、サブフレームビットマップが変化しない場合に、第1の基地局はUEに、第1のサブフレーム番号に対応する各フレームのサブフレームで状態を切り換えるよう命令しなくてもよく、第1の基地局はUEに、第1のサブフレーム番号に対応する指定されたフレームのサブフレームでのみ状態を切り換えるよう命令する。前述の技術的解決策を用いることにより、第1のサブフレーム番号に対応する、第1の基地局が第1のデータを送信する各サブフレームでは、第2の基地局に対応する送受信機がUEにおいて切られ、それによってUEのエネルギー消費がさらに低減され、UEが受信する信号の品質が改善される。
【００６６】
第1の基地局が第2の基地局に対応する第2のデータ割り振り情報を獲得した後で、第1の基地局は第2の基地局へ第2のデータ割り振り情報を送信する。任意選択で、第1の基地局は、事前設定条件が満たされたと第1の基地局が判定したときに限り、第2の基地局へ第2のデータ割り振り情報を送信する。具体的には、第1の基地局は、サブフレームビットマップが変化せず、現在のサブフレームが、第1のサブフレーム番号に対応する、サブフレームビットマップにおける指定されたフレームのサブフレームではないと判定した場合に、第2の基地局に第2のサブフレーム番号を割り振り、また第1の基地局は、サブフレームビットマップが変化し、現在のサブフレームが、更新された第1のサブフレーム番号に対応する、更新されたサブフレームビットマップにおける指定されたフレームのサブフレームではないと判定した場合に、第2の基地局に更新された第2のサブフレーム番号を割り振る。あるいは、第1の基地局は、サブフレームビットマップが変化せず、現在のサブフレームが、第1のサブフレーム番号に対応する、データ割り振り有効時間に対応する時間後の最初のフレームのサブフレームではないと判定した場合に、第2の基地局に第2のサブフレーム番号を割り振り、また第1の基地局は、サブフレームビットマップが変化し、現在のサブフレームが、更新された第1のサブフレーム番号に対応する、データ割り振り有効時間に対応する時間後の最初のフレームのサブフレームではないと判定した場合に、第2の基地局に更新された第2のサブフレーム番号を割り振る。第1の基地局は、第1の基地局が、1TTI内に複数の基地局によって同時に送信されたダウンリンクデータがUEの受信能力を超える可能性がある判定した場合に限り、送信サブフレームビットマップを送信することができることがわかる。例えば、UEは、第1の基地局の管理エリア内の2つのサービングセルおよび第2の基地局の管理エリア内の2つのサービングセルを集約する。各セルの無線状態が良好である場合には、UE能力カテゴリ6のUEについて、第1の基地局および第2の基地局によってUEへ同時に送信されるデータはUEの無線アクセス能力パラメータを超える可能性がある。サービングセルの無線状態が所与の閾値より低い場合には、第1の基地局および第2の基地局によってUEへ同時に送信されるデータはUEの受信能力を超えることができない。したがって、前述の技術的解決策を用いることにより、第1の基地局は、事前設定条件が満たされるときに限り、第2の基地局へ第2のデータ割り振り情報を送信し、それによって事実上、デバイス間のシグナリング交換が低減され、システム消費が低減される。
【００６７】
第1の基地局は第2の基地局へ、データ割り振り閾値とデータ割り振りタイミング情報の両方を含む第2のデータ割り振り情報を送信することもできる。具体的には、第1の基地局は、第1の基地局に第3のサブフレーム番号および第1のMIMOモードを割り振り、第2の基地局に第4のサブフレーム番号および第2のMIMOモードを割り振り、第2の基地局へ第4のサブフレーム番号および第2のMIMOモードを含む第2のデータ割り振り情報を送信し、MIMOモードは、ダウンリンクにおける空間多重化のための最大サポートレイヤ数である。第3のサブフレーム番号および第4のフレーム番号は同じであってもよく（例えば、第3の送信サブフレーム番号と第4の送信サブフレーム番号の両方が0から4までである）、異なっていてもよい（例えば、第3の送信サブフレーム番号は0から4までであり、第2の送信サブフレーム番号は4から6までである）。
【００６８】
ステップ310：第1の基地局は第2の基地局に、UEの無線アクセス能力に従って決定される第2のデータ割り振り情報に従ってUEへデータを送信するよう命令する。
【００６９】
本発明の本実施形態においては、データ割り振り情報がデータ割り振り有効時間を含む場合に、第1の基地局は第2の基地局に、データ割り振り有効時間に対応する時間に、第2のデータ割り振り情報に従ってUEへ第2のデータを送信するよう命令する。
【００７０】
ステップ300では、第1の基地局の第1のサブフレーム番号で、UEは、第2の基地局の管理エリア内のサービングセルにおいて非アクティブ不連続受信状態に切り換わる。同様に、第2の基地局の第2のサブフレーム番号で、UEは、第1の基地局の管理エリア内のサービングセルにおいて、非アクティブ不連続受信状態に切り換わる。第2のサブフレーム番号に対応するサブフレームで、UEは、第1の基地局の管理エリア内のサービングセルのPDCCHなどをリッスンすることができず、第1の基地局に対応する送受信機がUEにおいて切られ、それによって事実上UEのエネルギー消費が低減される。
【００７１】
前述のプロセスにおいて、第2の基地局はデータ割り振り情報に従ってUEへ第2のデータを直接送信する。基地局間キャリアアグリゲーションを構成するプロセスの正確さを保証するために、任意選択で、第1の基地局は第2の基地局へ測定報告を送信し、第2の基地局に、測定報告に従って第2のデータ割り振り情報を更新するよう命令し、第1の基地局は第2の基地局によって送信された、更新された第2のデータ割り振り情報を獲得する。第2の基地局が測定報告を獲得するプロセスは、第1の基地局が第2の基地局へ、第1の基地局によって獲得された測定報告を転送すること、または第2の基地局がUEによって報告された測定報告を獲得することである。
【００７２】
本発明の本実施形態においては、UEは、第1の基地局のデータ送信速度および第2の基地局のデータ送信速度を受信、獲得し、第1の基地局のデータ送信速度と第2の基地局のデータ送信速度の差の絶対値が事前設定閾値より大きいと判定した場合に、UEは、第1の基地局および第2の基地局へ、ハイブリッド自動再送要求（Automatic Repeat reQuest、HARQ）フィードバック情報または無線リンク制御（Radio Link Control、RLC）状況報告に基づいて生成されるデータ送信速度調整情報を送信する。第1の基地局はUEによって送信されたデータ送信速度調整情報を獲得し、データ送信速度調整情報に従って、UEへデータを送信するための速度を調整する。例えば、第1の基地局のデータ送信速度はa1であり、第2の基地局のデータ送信速度はa2であり、a1＞a2である。a1−a2＞a（事前設定閾値）であるとき、第1の基地局は、図6に示すように、データ送信速度調整情報に従ってデータ送信速度を低減させる。
【００７３】
図7を参照すると、本発明の一実施形態において、第2の基地局が第1の基地局の命令に従ってUEへデータを送信する詳細なプロセスは以下のとおりである。
【００７４】
ステップ700：第2の基地局が、UEの無線アクセス能力に従って第1の基地局によって決定されるデータ割り振り情報を受信する。
【００７５】
本発明の本実施形態においては、データ割り振り情報はデータ割り振り閾値および／またはデータ割り振りタイミング情報を含む。第1の基地局は第2の基地局とキャリアアグリゲーションを行う。
【００７６】
ステップ710：第2の基地局はデータ割り振り情報に従ってUEへデータを送信する。
【００７７】
本発明の本実施形態においては、同じTTIにおいて第1の基地局および第2の基地局によってUEへ送信されるデータの総量は、UEの無線アクセス能力に従って受信することのできるデータの総量を超えない。データ割り振り情報がデータ割り振り有効時間を含む場合、第2の基地局は、データ割り振り情報に従って、データ割り振り有効時間に対応する時間にUEへデータを送信する。
【００７８】
第2の基地局は、データ割り振り情報に従って、第2の基地局に割り振られたデータ割り振り閾値および／またはデータ割り振りタイミング情報を獲得する。
【００７９】
前述のプロセスにおいて、第2の基地局は、データ割り振り情報に従って、データ割り振り閾値として、割り振り後の1TTI内に受信される最大DL-SCHトランスポート・ブロック・ビット数、割り振り後の1TTI内に受信される1DL-SCHトランスポートブロックの最大ビット数、割り振り後の総ソフト・チャネル・ビット数、割り振り後のダウンリンクにおける空間多重化のための最大サポートレイヤ数、および割り振り後の1TTI内の最大PDCP  SDU数、の各パラメータのうちの1つまたはこれらの任意の組み合わせを獲得する。
【００８０】
データ割り振り情報がデータ割り振りタイミング情報を含む場合、第2の基地局は、データ割り振り情報で搬送されたサブフレーム情報に従って、サブフレーム情報に含まれる対応するサブフレームでUEへデータを送信する。データ割り振り情報がデータ割り振りタイミング情報およびデータ割り振り閾値を含む場合、第2の基地局は、データ割り振り情報で搬送されたサブフレーム情報およびMIMOモードに従って、MIMOモードに従ってサブフレーム情報に含まれる対応するサブフレームでUEへデータを送信する。
【００８１】
任意選択で、第2の基地局は、UEへサブフレームビットマップを送信し、UEに、データ割り振り有効時間およびサブフレームビットマップに従って、第2の基地局によるデータ送信のためのサブフレーム番号に対応するサブフレームで、第1の基地局の管理エリア内のサービングセルにおいて非アクティブ不連続受信状態に切り換わるよう命令する。データ割り振り情報がデータ割り振り有効時間をさらに含む場合、第2の基地局はUEへサブフレームビットマップおよびデータ割り振り有効時間を送信し、UEに、データ割り振り有効時間およびサブフレームビットマップに従って、第2の基地局によるデータ送信のためのサブフレーム番号に対応する、データ割り振り有効時間に対応するフレームのサブフレームで、第1の基地局の管理エリア内のサービングセルにおいて非アクティブ不連続受信状態に切り換わるよう命令し、データ送信のためのサブフレームビットマップは、第1の基地局によるデータ送信に対応するサブフレーム番号、および第2の基地局によるデータ送信に対応するサブフレーム番号を含む。
【００８２】
前述のプロセスにおいて、第2の基地局はデータ割り振り情報に従ってUEへデータを直接送信する。基地局間キャリアアグリゲーションを構成するプロセスの正確さを保証するために、任意選択で、第2の基地局は、UEの測定報告に従って、ローカルで生成されるデータ割り振り情報を獲得し、第2の基地局が、第1の基地局によって送信されたデータ割り振り情報はローカルで生成されるデータ割り振り情報と異なると判定した場合に、第2の基地局は第1の基地局へ、ローカルで割り振られるデータ割り振り情報を送信し、第1の基地局に、ローカルで割り振られるデータ割り振り情報に従って、先に第1の基地局によって第2の基地局へ送信されるデータ割り振り情報を更新するよう通知する。
【００８３】
詳細には、第2の基地局は、UEによって送信され、HARQフィードバック情報またはRLC状況報告に基づいて生成されるデータ送信速度調整情報を受信し、データ送信速度調整情報に従って、UEへデータを送信するための速度を調整する。
【００８４】
図8を参照すると、本発明の一実施形態において、UEが、第1の基地局および第2の基地局によって割り振られたダウンリンクリソースに従ってデータを受信する詳細なプロセスは以下のとおりである。
【００８５】
ステップ800：UEが、第1のデータ割り振り情報に従って第1の基地局によって送信される第1のデータを受信する。
【００８６】
本発明の本実施形態においては、第1のデータ割り振り情報はデータ割り振り閾値および／またはデータ割り振りタイミング情報を含む。
【００８７】
第1のデータ割り振り情報がデータ割り振り閾値を含む場合に、UEは、データ割り振り閾値に従って第1の基地局によって送信される対応する量のデータを受信し、第1のデータ割り振り情報がデータ割り振りタイミング情報を含む場合に、UEは、データ割り振りタイミング情報に含まれる第1のサブフレーム番号に対応するサブフレームで、第1の基地局によって送信されるデータを受信する。
【００８８】
任意選択で、第1のサブフレーム番号に対応するサブフレームで、UEは、第2の基地局によって管理されるサービングセルにおいて非アクティブ不連続受信状態に切り換わり、それによって事実上UEのエネルギー消費が低減される。
【００８９】
ステップ810：UEは、第2のデータ割り振り情報に従って第2の基地局によって送信される第2のデータを受信する。
【００９０】
本発明の本実施形態においては、第1の基地局は第2の基地局とキャリアアグリゲーションを行い、同じTTIにおいてUEによって受信される、第1の基地局によって送信される第1のデータおよび第2の基地局によって送信される第2のデータの総量は、UEの無線アクセス能力に従ってUEが受信することのできるデータの総量を超えない。
【００９１】
第2のデータ割り振り情報は第1の基地局によって第2の基地局へ送信される。UEは、第2のデータ割り振りタイミング情報に含まれる第2のサブフレーム番号に対応するサブフレームで、第2の基地局によって送信される第2のデータを受信する。
【００９２】
任意選択で、第2のサブフレーム番号に対応するサブフレームで、UEは、第1の基地局によって管理されるサービングセルにおいて非アクティブ不連続受信状態に切り換わり、それによって事実上UEのエネルギー消費が低減される。
【００９３】
詳細には、UEは、第1の基地局に対応する第1のデータ送信速度および第2の基地局に対応する第2のデータ送信速度を獲得し、UEが、第1のデータ送信速度と第2のデータ送信速度との差の絶対値が事前設定閾値より大きいと判定した場合に、UEは第1の基地局または第2の基地局へ、HARQフィードバック情報またはRLC状況報告に基づいて生成されるデータ送信速度調整情報を送信し、第1の基地局または第2の基地局に、データ送信速度を調整するよう通知する。本発明の本実施形態においては、データ送信速度は、データブロックに対応する順序番号に従って決定することができる。
【００９４】
図9を参照すると、本発明の一実施形態において、データ送信の詳細なプロセスは以下のとおりである。
【００９５】
ステップ900：第1の基地局が、第1の基地局によってUEへ第1のデータを送信するのに使用される第1のデータ割り振り情報を決定し、第2の基地局によってUEへ第2のデータを送信するのに使用される第2のデータ割り振り情報を決定する。
【００９６】
本発明の本実施形態においては、データ割り振り情報はデータ割り振り閾値および／またはデータ割り振りタイミング情報を含み、データ割り振り情報はデータ割り振り有効時間をさらに含む。
【００９７】
データ割り振り閾値は、1TTI内に受信される最大DL-SCHトランスポート・ブロック・ビット数、1TTI内に受信される1DL-SCHトランスポートブロックの最大ビット数、総ソフト・チャネル・ビット数、ダウンリンクにおける空間多重化のための最大サポートレイヤ数、および1TTI内の最大PDCP  SDU数、の各パラメータのうちのいずれか1つまたはこれらの任意の組み合わせを含むことができる。
【００９８】
データ割り振りタイミング情報はサブフレーム情報であり、第1の基地局の少なくとも1つの第1のサブフレーム番号および少なくとも1つの第3のサブフレーム番号、ならびに第2の基地局の少なくとも1つの第2のサブフレーム番号および少なくとも1つの第4のサブフレーム番号を含む。
【００９９】
ステップ910：第1の基地局は第1のデータ割り振り情報に従ってUEへ第1のデータを送信する。
【０１００】
本発明の本実施形態においては、第1のデータ割り振り情報がデータ割り振り閾値である場合、第1の基地局は、データ割り振り閾値に従って、データ割り振り閾値に対応するデータ量を超えない量のデータをUEへ送信する。第2のデータ割り振り情報がデータ割り振りタイミング情報である場合、第1の基地局は、データ割り振りタイミング情報における第1の基地局の第1のサブフレーム番号に対応するサブフレームで、UEへ第1のデータを送信する。第1のデータ割り振り情報がデータ割り振りタイミング情報およびデータ割り振り閾値である場合、第1の基地局は、データ割り振りタイミング情報における第1の基地局の第3のサブフレーム番号に対応するサブフレームで、第1のMIMOモードに従ってUEへ第1のデータを送信する。
【０１０１】
任意選択で、第1のサブフレーム番号に対応するサブフレームで、UEは、第2の基地局の管理エリア内のサービングセルにおいて非アクティブ不連続受信状態に切り換わる。
【０１０２】
詳細には、第1の基地局は、UEによって送信されたデータ送信速度調整情報を受信し、データ送信速度調整情報に従って、UEへデータを送信するための速度を調整する。
【０１０３】
ステップ920：第2の基地局は第2のデータ割り振り情報に従ってUEへ第2のデータを送信する。
【０１０４】
本発明の本実施形態においては、データ割り振り情報がデータ割り振り有効時間を含む場合、第2の基地局は、データ割り振り有効時間に対応する時間にUEへデータを送信することができ、それによって、第1の基地局および第2の基地局が約束の時間にUEへデータを送信することが保証され、複数の基地局間でのデータ割り振りの第1の基地局による協調が円滑化される。
【０１０５】
データ割り振り情報がデータ割り振り閾値である場合、第2の基地局はデータ割り振り閾値に従ってUEへ、データ割り振り閾値に対応するデータ量を超えない量のデータを送信する。データ割り振り情報がデータ割り振りタイミング情報である場合、第2の基地局は、データ割り振りタイミング情報における第2の基地局の第2のサブフレーム番号に対応するサブフレームでて、UEへ第2のデータを送信する。第1のデータ割り振り情報がデータ割り振りタイミング情報およびデータ割り振り閾値を含む場合、第2の基地局は、データ割り振りタイミング情報における第2の基地局の第4のサブフレーム番号に対応するサブフレームで、第2のMIMOモードに従ってUEへデータを送信する。
【０１０６】
任意選択で、第2のサブフレーム番号に対応するサブフレームで、UEは、第1の基地局の管理エリア内のサービングセルにおいて非アクティブ不連続受信状態に切り換わる。
【０１０７】
詳細には、第2の基地局は、UEによって送信されたデータ送信速度調整情報を受信し、データ送信速度調整情報に従って、UEへデータを送信するための速度を調整する。
【０１０８】
以下で、具体的な適用シナリオに関連して、基地局間キャリアアグリゲーション構成システムが第1の基地局および第2の基地局を含み、UEが表1のカテゴリ6のUEである例を用いて、データ送信の詳細なプロセスを詳細に説明する。
【０１０９】
実施態様1：
【０１１０】
第1の基地局が、UEによって報告された測定報告に従って、第1の基地局によってUEへ第1のデータを送信するのに使用される第1のデータ割り振り情報、および第2の基地局によってUEへ第2のデータを送信するのに使用される第2のデータ割り振り情報を獲得し、データ割り振り情報はデータ割り振り閾値のみを含む。図10を参照すると、データ送信の詳細なプロセスは以下のとおりである。
【０１１１】
ステップ1000：第1の基地局が、第1の基地局に割り振られる、データ割り振り閾値を含む第1のデータ割り振り情報を獲得し、UEへ第1のデータ割り振り情報を満足させる量のデータを送信する。
【０１１２】
ステップ1010：第1の基地局は第2の基地局へ、データ割り振り閾値を含む第2のデータ割り振り情報を送信する。
【０１１３】
本発明の本実施形態においては、UEは表1のカテゴリ6のUEに対応する。表1を参照すると、UEに対応する無線アクセス能力パラメータは、1TTI内に受信される最大DL-SCHトランスポート・ブロック・ビット数のパラメータ値「301504」であることがわかる。第1の基地局はUEの無線アクセス能力パラメータを分割する。例えば、第1の基地局と第2の基地局とに対応するデータ量が同じであることに基づいて無線アクセス能力パラメータを分割し、その場合、第1の基地局および第2の基地局は各々、150752のパラメータ値を獲得する。第1の基地局は最大DL-SCHトランスポート・ブロック・ビット数のパラメータ150752をデータ割り振り閾値として使用し、データ割り振り閾値を第2の基地局へ送信する。この場合には、たとえ第1の基地局または第2の基地局のために複数のサービングセルおよび複数のMIMOレイヤが構成され、第1の基地局または第2の基地局の実際の送信能力が150752を超える場合でさえも、第1の基地局または第2の基地局が任意のTTI内にUEへ送信する最大DL-SCHトランスポート・ブロック・ビット数は150752以下とする必要がある。
【０１１４】
加えて、ダウンリンクにおける空間多重化のための最大サポートレイヤ数もデータ割り振り閾値として使用することができる。例えば、そのUE能力カテゴリが6であるUEについては、ダウンリンクにおける空間多重化のための最大サポートレイヤ数のパラメータ値は4である。第1の基地局は最大サポートレイヤ数のパラメータ値を、例えば、第1の基地局と第2の基地局が最大サポートレイヤ数のパラメータ値を等しく分かち合う分割方式で分割する。その場合、第1の基地局および第2の基地局は各々2レイヤを獲得し、第1の基地局は、ダウンリンクにおける空間多重化のための最大サポートレイヤ数のパラメータ値2をデータ割り振り閾値として使用し、データ割り振り閾値を第2の基地局へ送信する。この場合には、たとえ第1の基地局および第2の基地局の最大サポートレイヤ数のパラメータ値が4である場合でさえも、第1の基地局または第2の基地局が任意のTTI内にUEへ送信するダウンリンクにおける空間多重化のための最大サポートレイヤ数は2以下とする必要がある。
【０１１５】
任意選択で、UEの無線アクセス能力を超えないようにするために、UEの複数の無線アクセス能力パラメータを同時にデータ割り振り閾値として使用することもできる。この場合には、第1の基地局によって割り振られるデータ割り振り閾値は、UEの複数の無線アクセス能力パラメータすべてを満足させる必要がある。
【０１１６】
ステップ1020：第2の基地局は、第2のデータ割り振り情報を受信し、第2のデータ割り振り情報で搬送されたデータ割り振り閾値を獲得し、UEへデータ割り振り閾値を満足させる量のデータを送信する。
【０１１７】
本発明の本実施形態においては、第2の基地局が、UEの測定報告に従って、ローカルで生成される第3のデータ割り振り情報を獲得し、第2の基地局が、第1の基地局によって送信されるデータ割り振り情報に従って獲得された第1のデータ割り振り閾値が、ローカルで生成されるデータ割り振り閾値と異なると判定した場合に、第2の基地局は第1の基地局へ、ローカルで生成される第3のデータ割り振り情報を送信し、第1の基地局に、ローカルで生成される第3のデータ割り振り情報に従って第2のデータ割り振り情報を更新するよう通知し、第2の基地局は更新された第2のデータ割り振り情報を受信し、更新された第2のデータ割り振り情報に従ってUEへデータを送信する。
【０１１８】
実施態様2：
【０１１９】
第1の基地局が、UEによって報告された測定報告に従って、第1の基地局によってUEへデータを送信するのに使用される第1のデータ割り振り情報、および第2の基地局によってUEへデータを送信するのに使用される第2のデータ割り振り情報を獲得し、データ割り振り情報はデータ割り振りタイミング情報およびデータ割り振り有効時間を含む。図11を参照すると、データ送信の詳細なプロセスは以下のとおりである。
【０１２０】
ステップ1100：第1の基地局に割り振られる第1のデータ割り振り情報で搬送されたデータ割り振りタイミング情報に従って、第1の基地局は、第1のサブフレーム番号に対応するサブフレームでUEへ第1のデータを送信し、UEに、第1のサブフレーム番号に対応するサブフレームで、第2の基地局の管理エリア内のサービングセルにおいて非アクティブ不連続受信状態に切り換わるよう命令する。
【０１２１】
ステップ1110：第1の基地局は第2の基地局へ、データ割り振りタイミング情報およびデータ割り振り有効時間を含む第2のデータ割り振り情報を送信する。
【０１２２】
本発明の本実施形態においては、第1の基地局は、データ割り振りタイミング情報で搬送された第1のサブフレーム番号（1、4、7など）および第2のサブフレーム番号（2、3、8など）に従ってサブフレームビットマップを獲得し、サブフレームビットマップおよびデータ割り振り有効時間を第2のデータ割り振り情報として使用し、第2のデータ割り振り情報を第2の基地局へ送信する。
【０１２３】
本発明の本実施形態においては、データ割り振り有効時間を、絶対時間情報システムフレーム番号（SFN）＋サブフレーム番号（subframe）として表すことができる。
【０１２４】
データ割り振りタイミング情報は、第1の基地局の管理エリア内のサービングセルおよび第2の基地局の管理エリア内のサービングセルに対応する負荷、無線状態、データ分割アルゴリズムおよびトラフィック制御状況と共に変動する。第1の基地局が、データ割り振りタイミング情報が変化すると判定した場合に、第1の基地局は第2の基地局へ、更新されたデータ割り振りタイミング情報を送信する必要がある。
【０１２５】
ステップ1120：第2の基地局は、第2のデータ割り振り情報を受信し、第2のデータ割り振り情報で搬送されたデータ割り振りタイミング情報を獲得し、第2のサブフレーム番号に対応するサブフレームでUEへ第2のデータを送信し、UEに、第2のサブフレーム番号に対応するサブフレームで、第1の基地局によって管理されるサービングセルにおいて非アクティブ不連続受信状態に切り換わるよう命令する。
【０１２６】
本発明の本実施形態においては、UEが第1の基地局によって送信された第1のデータを受信する必要がある場合には、第2の基地局に対応する送受信機が切られ、または第2の基地局にサービスするサービングセルが非アクティブ化され、同様に、UEが第2の基地局によって送信された第2のデータのみを受信する場合には、第1の基地局に対応する送受信機が切られ、または第1の基地局にサービスするサービングセルが非アクティブ化される。UEが第1の基地局または第2の基地局によって送信されたデータを再度受信することが必要になると、第1の基地局の管理エリア内のサービングセルまたは第2の基地局の管理エリア内のサービングセルはアクティブ化される。UEを非アクティブ不連続受信状態に切り換えることは以下を意味する。第1の基地局の管理エリア内のサービングセルについて、UEは同じDRX規則に従ってダウンリンクデータを受信し、例えば、第1の基地局によって管理されるサービングセルにおいて物理ダウンリンク制御チャネルを同時にリッスンし、またはリッスンせず、第2の基地局の管理エリア内のサービングセルについて、UEは同じDRX規則に従ってダウンリンク情報を受信し、例えば、第2の基地局によって管理されるサービングセルにおいてPDCCHを同時にリッスンし、またはリッスンせず、第1の基地局および第2の基地局については、UEは同じDRX規則に従わずにダウンリンク情報を受信することができ、例えば、UEは第1の基地局によって管理されるサービングセルにおいてはPDCCHをリッスンし、第2の基地局によって管理されるサービングセルにおいては物理ダウンリンク制御チャネルをリッスンしない。
【０１２７】
実施態様3：
【０１２８】
第1の基地局が、UEによって報告された測定報告に従って、第1の基地局によってUEへデータを送信するのに使用される第1のデータ割り振り情報、および第2の基地局によってUEへデータを送信するのに使用される第2のデータ割り振り情報を獲得し、データ割り振り情報はデータ割り振りタイミング情報およびデータ割り振り閾値を含む。図12を参照すると、データ送信の詳細なプロセスは以下のとおりである。
【０１２９】
ステップ1200：第1のデータ割り振り情報で搬送されたデータ割り振りタイミング情報に従って、第1の基地局が、第1のMIMOモードに従って第3のサブフレーム番号に対応するサブフレームでUEへ第1のデータを送信する。
【０１３０】
ステップ1210：第1の基地局は第2の基地局へ、データ割り振りタイミング情報およびデータ割り振り閾値を含む第2のデータ割り振り情報を送信する。
【０１３１】
本発明の本実施形態においては、第1の基地局は、データ割り振りタイミング情報で搬送された第3のサブフレーム番号（例えば0から3）および第4のフレーム番号（例えば0から3）に従ってサブフレームビットマップを獲得し、第1の基地局に割り振られた第1のMIMOモード（例えば3レイヤ）および第2の基地局に割り振られた第2のMIMOモード（1レイヤ）を獲得し、サブフレームビットマップおよびデータ割り振り閾値をデータ割り振り情報として使用し、データ割り振り情報を第2の基地局へ送信する。
【０１３２】
ステップ1220：第2の基地局は、第2のデータ割り振り情報を受信し、第2のデータ割り振り情報で搬送されたデータ割り振りタイミング情報を獲得し、第2のMIMOモードに従って第4のサブフレーム番号に対応するサブフレームでUEへ第2のデータを送信する。
【０１３３】
実施態様4：
【０１３４】
第1の基地局が、UEによって報告された測定報告に従って、第1の基地局によってUEへデータを送信するのに使用される第1のデータ割り振り情報、および第2の基地局によってUEへデータを送信するのに使用される第2のデータ割り振り情報を獲得する。図13を参照すると、第1の基地局および第2の基地局が、UEのデータ割り振り率決定結果に従ってデータ送信を制御する詳細なプロセスは以下のとおりである。
【０１３５】
ステップ1300：UEが、第1の基地局によって送信された第1のデータを受信し、第1のデータに対応する第1のデータ送信速度を獲得する。
【０１３６】
ステップ1310：UEは、第2の基地局によって送信された第2のデータを受信し、第2のデータに対応する第2のデータ送信速度を獲得する。
【０１３７】
ステップ1320：UEは、第1のデータ送信速度と第2のデータ送信速度を比較し、比較結果に従って第1の基地局および第2の基地局へデータ送信速度調整情報を送信する。
【０１３８】
本発明の本実施形態においては、データ送信速度は、受信されるデータブロックの順序番号を用いて獲得される。RLC  PDU分割を例に取ると、具体的には、アンバランスな無線リソーススケジューリングが、異なる基地局によって送信されるRLC  PDUの順序番号に比較的大きな差を生じ（すなわち、順序番号の差が比較的大きく）、したがって、UEは、より大きいRLC送信ウィンドウおよび／または受信ウィンドウを必要とする。図5に示すように、ダウンリンクデータ受信について、UEは、事前設定期間において第1の基地局および第2の基地局によって送信されたRLC  PDUの最大順序番号間の距離を求める。この距離が事前設定閾値より大きい場合に、UEは、高速でRLC  PDUを送信する基地局へデータ送信速度減速情報を送信し、かつ／または低速でRLC  PDUを送信する基地局へデータ送信速度加速情報を送信する。データ送信速度は、RLC  PDUの数または物理層によって送信されるダウンリンクデータの量、例えばビット数を指すことができる。
【０１３９】
ステップ1330：第1の基地局はデータ送信速度調整情報を受信し、データ送信速度調整情報に従ってデータ送信速度を調整する。
【０１４０】
ステップ1340：第2の基地局はデータ送信速度調整情報を獲得し、データ送信速度調整情報に従ってデータ送信速度を調整する。
【０１４１】
前述の技術的解決策を用いることにより、1つまたは複数の基地局に対応するRLC  PDUのデータ送信速度を加速し、または減速することができ、そのため、UEに対応するRLC受信ウィンドウまたは順序変更ウィンドウのサイズが低減され、それによって、「レイヤ2の総バッファサイズ」に加わる圧力が軽減される。
【０１４２】
前述の技術的解決策に基づき、図14を参照すると、本発明は、送信部140と命令部141とを含む基地局を提供する。
【０１４３】
送信部140は、UEの無線アクセス能力に従って決定される第1のデータ割り振り情報に従ってUEへ第1のデータを送信する。
【０１４４】
命令部141は、基地局とキャリアアグリゲーションを行うキャリアアグリゲーション基地局に、UEの無線アクセス能力に従って決定される第2のデータ割り振り情報に従って、UEへ第2のデータを送信するよう命令し、1TTIにおいて第1の基地局によってUEへ送信される第1のデータおよびキャリアアグリゲーション基地局によってUEへ送信される第2のデータの総量は、UEの無線アクセス能力に従ってUEが受信することのできるデータの総量を超えない。
【０１４５】
基地局は、UEへ第1のデータを送信するためのデータ割り振り閾値および／またはUEへ第1のデータを送信するためのデータ割り振りタイミング情報を含む第1のデータ割り振り情報を決定し、キャリアアグリゲーション基地局がUEへ第2のデータを送信するためのデータ割り振り閾値および／またはキャリアアグリゲーション基地局がUEへ第2のデータを送信するためのデータ割り振りタイミング情報を含む第2のデータ割り振り情報を決定する、決定部142をさらに含む。
【０１４６】
前述の基地局は、第2の基地局へ測定報告を送信し、第2の基地局に、測定報告に従って第2のデータ割り振り情報を更新するよう命令し、第2の基地局によって送信された、更新された第2のデータ割り振り情報を受信する調整部143をさらに含む。
【０１４７】
第1のデータ割り振り情報および第2のデータ割り振り情報がデータ割り振り閾値を含む場合に、決定部142は具体的には、1TTI内に受信される最大DL-SCHトランスポート・ブロック・ビット数、1TTI内に受信される1DL-SCHトランスポートブロックの最大ビット数、総ソフト・チャネル・ビット数、ダウンリンクにおける空間多重化のための最大サポートレイヤ数、および1TTI内の最大PDCP  SDU数、の各パラメータのうちの少なくともいずれか1つをデータ割り振り閾値として使用する。
【０１４８】
第1のデータ割り振り情報および第2のデータ割り振り情報が各々、データ割り振りタイミング情報を含む場合に、決定部142は具体的には、サブフレーム情報を含むデータ割り振りタイミング情報を決定し、基地局またはキャリアアグリゲーション基地局は、サブフレーム情報に従ってUEへデータを送信する。
【０１４９】
送信部140はさらに、第1のデータ割り振り情報および第2のデータ割り振り情報がサブフレーム情報を搬送するときに、UEへサブフレームビットマップを送信し、サブフレームビットマップは、基地局がUEへ第1のデータを送信するときに占有されるサブフレーム番号、およびキャリアアグリゲーション基地局がUEへ第2のデータを送信するときに占有されるサブフレーム番号を含む。
【０１５０】
命令部141はさらに、キャリアアグリゲーション基地局に、対応するサブフレームでUEへデータを送信するよう命令する。
【０１５１】
本発明の本実施形態においては、第1の基地局の第1のサブフレーム番号で、UEは、第2の基地局の管理エリア内のサービングセルのPDCCHをリッスンすることができず、それによって事実上UEのエネルギー消費が低減される。
【０１５２】
決定部142はさらに、基地局またはキャリアアグリゲーション基地局によってUEへデータを送信するのに使用されるMIMOモードを含むデータ割り振り閾値を決定し、MIMOモードはダウンリンクにおける空間多重化のための最大サポートレイヤ数である。
【０１５３】
決定部142は具体的には、UEによって送信される信号品質パラメータおよびUEに対応する識別情報を受信し、UEに対応する識別情報に従ってUEの無線アクセス能力パラメータを獲得し、信号品質パラメータおよびUEの無線アクセス能力パラメータに従って、第1のデータ割り振り情報を決定し、第2の基地局の第2のデータ割り振り情報を決定する。
【０１５４】
決定部142は具体的には、事前設定期間に従って第1のデータ割り振り情報および第2のデータ割り振り情報を決定し、またはUEによって報告された測定報告もしくはサービス品質（QoS）に従って第1のデータ割り振り情報および第2のデータ割り振り情報を決定する。
【０１５５】
本発明の本実施形態においては、第1の基地局の第1のデータ割り振り情報および第2の基地局の第2のデータ割り振り情報は信号品質パラメータに従って獲得される。ある基地局の管理エリア内のサービングセルに対応する信号品質がより良い場合、より大量の送信されるべきデータをその基地局に割り振ることができ、そのため、より良い信号品質を有する基地局がより大量の送信されるべきデータを搬送し、これにより事実上システムのスループットが高まる。
【０１５６】
決定部142は具体的には、各々データ割り振り有効時間を含む第1のデータ割り振り情報および第2のデータ割り振り情報を決定する。
【０１５７】
第1のデータ割り振り情報がデータ割り振り有効時間を含む場合に、送信部140は具体的には、第1のデータ割り振り情報に含まれるデータ割り振り有効時間に対応する時間に、第1のデータ割り振り情報に従ってUEへ第1のデータを送信する。
【０１５８】
第2のデータ割り振り情報がデータ割り振り有効時間を含む場合に、命令部141は具体的には、キャリアアグリゲーション基地局に、第2のデータ割り振り情報に含まれるデータ割り振り有効時間に対応する時間に、第2のデータ割り振り情報に従ってUEへ第2のデータを送信するよう命令する。
【０１５９】
調整部143はさらに、UEによって送信されたHARQフィードバック情報またはRLC状況報告を受信し、HARQフィードバック情報またはRLC状況報告に従って、UEへデータを送信するための速度を調整する。
【０１６０】
本発明の本実施形態においては、基地局が、キャリアアグリゲーションに関与する複数の基地局によってUEに割り振られるダウンリンクリソースの数を調整するために、UEの無線アクセス能力およびUEによって報告された測定報告に従って、UEの無線アクセス能力を満足させるデータ割り振り情報を、基地局と、基地局とキャリアアグリゲーションを行うキャリアアグリゲーション基地局とに割り振る。このようにして、UEへ送信されるデータの量が、UEの無線アクセス能力に従って受信することのできるデータの量を満足させ、それによって事実上、UEが受信するデータの完全性および正確さが保証される。
【０１６１】
図15を参照すると、本発明は、受信部150と送信部151とを含む基地局をさらに提供する。
【０１６２】
受信部150は、UEの無線アクセス能力に従って第1の基地局によって決定されるデータ割り振り情報を受信し、データ割り振り情報をデータ送信部へ送信する。
【０１６３】
送信部151は、受信部によって送信されたデータ割り振り情報を受信し、データ割り振り情報に従ってUEへデータを送信し、第1の基地局は本基地局とキャリアアグリゲーションを行い、同じTTIにおいて各基地局によってUEへ送信されるデータの総量は、UEの無線アクセス能力に従ってUEが受信することのできるデータの総量を超えない。
【０１６４】
加えて、本基地局は、UEによって報告された測定報告に従って、第1の基地局へ更新されたデータ割り振り情報を送信する調整部152をさらに含む。
【０１６５】
送信部151は具体的には、データ割り振り情報に含まれるデータ割り振り有効時間に従って、データ割り振り有効時間に対応する時間にUEへデータを送信する。
【０１６６】
受信部150は具体的には、UEへデータを送信するためのデータ割り振り閾値および／またはデータ割り振りタイミング情報を含むデータ割り振り情報を受信する。
【０１６７】
データ割り振り情報がデータ割り振りタイミング情報を含む場合に、受信部150は具体的には、サブフレーム情報を含むデータ割り振りタイミング情報を受信し、本基地局はサブフレーム情報に従ってUEへデータを送信する。
【０１６８】
送信部151はさらに、データ割り振り情報がサブフレーム情報を搬送する場合に、UEへサブフレームビットマップを送信し、サブフレームビットマップは、第1の基地局がUEへ第1のデータを送信するときに占有されるサブフレーム番号、および本基地局がUEへ第2のデータを送信するときに占有されるサブフレーム番号を含む。
【０１６９】
データ割り振り情報がデータ割り振り閾値を含む場合に、受信部150はさらに、基地局によってUEへデータを送信するのに使用されるMIMOモードを含むデータ割り振り情報を受信し、MIMOモードはダウンリンクにおける空間多重化のための最大サポートレイヤ数である。
【０１７０】
調整部152はさらに、UEによって送信されたハイブリッド自動再送要求（HARQ）フィードバック情報または無線リンク制御（RLC）状況報告を受信し、HARQフィードバック情報またはRLC状況報告に従って、UEへデータを送信するための速度を調整する。
【０１７１】
本発明の本実施形態においては、基地局が、キャリアアグリゲーションに関与する複数の基地局によってUEに割り振られるダウンリンクリソースの数を調整するために、UEの無線アクセス能力およびUEによって報告された測定報告に従って第1の基地局によって基地局に割り振られる、UEの無線アクセス能力を満足させるデータ割り振り情報を受信する。このようにして、UEへ送信されるデータの量が、UEの無線アクセス能力に従って受信することのできるデータの量を満足させ、それによって事実上、UEが受信するデータの完全性および正確さが保証される。
【０１７２】
図16を参照すると、本発明はUEを提供し、本UEは、
第1のデータ割り振り情報に従って第1の基地局によって送信される第1のデータを受信するデータ受信部160
を含み、
データ受信部160はさらに、第2のデータ割り振り情報に従って第2の基地局によって送信される第2のデータを受信し、第1のデータ割り振り情報および第2のデータ割り振り情報は、UEの無線受信能力に従って第1の基地局によって決定され、同じTTIにおいてUEによって受信される、第1の基地局によって送信される第1のデータおよび第2の基地局によって送信される第2のデータの総量は、UEの無線アクセス能力に従ってUEが受信することのできるデータの総量を超えない。
【０１７３】
本UEは、第1の基地局に対応する第1のデータ送信速度および第2の基地局に対応する第2のデータ送信速度を獲得し、第1のデータ送信速度と第2のデータ送信速度との差の絶対値が事前設定閾値より大きいと判定される場合に、第1の基地局または第2の基地局に、データ送信速度を調整するよう通知する調整部161をさらに含む。
【０１７４】
データ受信部160は具体的には、第1の基地局がUEへ第1のデータを送信するためのデータ割り振り閾値および／またはデータ割り振りタイミング情報を含む第1のデータ割り振り情報を受信する。
【０１７５】
データ受信部160はさらに、第2の基地局がUEへ第2のデータを送信するためのデータ割り振り閾値および／またはデータ割り振りタイミング情報を含む第2のデータ割り振り情報を受信する。
【０１７６】
本発明の本実施形態においては、第1の基地局の第1のサブフレーム番号で、UEは、第2の基地局の管理エリア内のサービングセルのPDCCHをリッスンすることができず、それによって事実上UEのエネルギー消費が低減される。
【０１７７】
第1のデータ割り振り情報および第2のデータ割り振り情報が各々データ割り振りタイミング情報を含む場合に、データ受信部160は具体的には、データ割り振りタイミング情報に含まれるサブフレーム情報に従って、第1の基地局または第2の基地局によってUEへ送信されるデータを受信する。
【０１７８】
データ受信部160はさらに、第1の基地局がUEへ第1のデータを送信するときに占有されるサブフレーム番号、および第2の基地局がUEへ第2のデータを送信するときに占有されるサブフレーム番号を含む、第1の基地局および／または第2の基地局によって送信されたサブフレームビットマップを受信し、サブフレームビットマップに従って、第1の基地局がUEへ第1のデータを送信するときに占有されるサブフレーム番号に対応するサブフレームで、第1の基地局によって送信された第1のデータを受信し、第2の基地局がUEへ第2のデータを送信するときに占有されるサブフレーム番号に対応するサブフレームで、第2の基地局によって送信された第2のデータを受信する。
【０１７９】
前述の技術的解決策を用いることにより、UEは第1の基地局のデータ送信速度および第2の基地局のデータ送信速度を検出し、第1の基地局のデータ送信速度および第2の基地局のデータ送信速度が事前設定条件を満足させると判定した場合に、UEは第1の基地局または第2の基地局に、それぞれの対応するデータ送信速度を動的に調整するよう通知する。UEの無線インターフェースにおいてトラフィックを制御する方法を用いることにより、1TTI内にUEによって受信されるデータの量が、無線アクセス能力に従って受信することのできるデータの総量を満足させることが保証され、それによって、UEが受信するデータの完全性がさらに改善される。
【０１８０】
本発明の本実施形態においては、UEが、キャリアアグリゲーションに関与する複数の基地局によってUEに割り振られるダウンリンクリソースの数を調整するために、UEの無線アクセス能力およびUEによって報告された測定報告に従って第1の基地局によって第1の基地局および第2の基地局に割り振られるデータ割り振り情報を受信する。このようにして、UEへ送信されるデータの量が、UEの無線アクセス能力に従って受信することのできるデータの量を満足させ、それによって事実上、UEが受信するデータの完全性および正確さが保証される。
【０１８１】
図17を参照すると、本発明は、メモリ170とプロセッサ171とを含む基地局デバイスを提供する。
【０１８２】
メモリ170はアプリケーションプログラムを記憶する。
【０１８３】
プロセッサ171は、メモリ170内のアプリケーションプログラムを呼び出して、UEの無線アクセス能力に従って決定される第1のデータ割り振り情報に従ってUEへ第1のデータを送信する動作を行う。
【０１８４】
プロセッサ171はさらに、メモリ170内のアプリケーションプログラムを呼び出して、本基地局とキャリアアグリゲーションを行うキャリアアグリゲーション基地局に、UEの無線アクセス能力に従って決定される第2のデータ割り振り情報に従って、UEへ第2のデータを送信するよう命令する動作を行い、同じTTIにおいて本基地局によってUEへ送信される第1のデータおよびキャリアアグリゲーション基地局によってUEへ送信される第2のデータの総量は、UEの無線アクセス能力に従ってUEが受信することのできるデータの総量を超えない。
【０１８５】
本発明の本実施形態におけるプロセッサ171は、前述の方法実施形態における第1の基地局の動作を行うことができ、これらの方法実施形態についてここでは繰り返し説明しない。
【０１８６】
本発明の本実施形態においては、基地局が、キャリアアグリゲーションに関与する複数の基地局によってUEに割り振られるダウンリンクリソースの数を調整するために、UEの無線アクセス能力およびUEによって報告された測定報告に従って、UEの無線アクセス能力を満足させるデータ割り振り情報を、基地局と、基地局とキャリアアグリゲーションを行うキャリアアグリゲーション基地局とに割り振る。このようにして、UEへ送信されるデータの量が、UEの無線アクセス能力に従って受信することのできるデータの量を満足させ、それによって事実上、UEが受信するデータの完全性および正確さが保証される。
【０１８７】
図18を参照すると、本発明は、送受信機180とメモリ181とを含む基地局デバイスを提供する。
【０１８８】
送受信機180は、UEの無線アクセス能力に従って第1の基地局によって決定されるデータ割り振り情報を受信する。
【０１８９】
メモリ181はアプリケーションプログラムを記憶する。
【０１９０】
送受信機182はさらに、メモリ181内のアプリケーションプログラムを呼び出して、データ割り振り情報に従ってUEへデータを送信する動作を行い、第1の基地局は本基地局とキャリアアグリゲーションを行い、1TTIにおいて各基地局によってUEへ送信されるデータの総量は、UEの無線アクセス能力に従ってUEが受信することのできるデータの総量を超えない。
【０１９１】
また本発明の基地局は、前述の方法実施形態において第2の基地局によって行われる動作も行うことができる。送受信機182は、第2の基地局によって行われる受信動作および送信動作を行うことができる。
【０１９２】
さらに、本発明の基地局は、HARQフィードバック情報またはRLC状況報告に従って、UEへデータを送信するための速度を調整するプロセッサをさらに含むことができる。
【０１９３】
本発明の本実施形態においては、基地局が、キャリアアグリゲーションに関与する複数の基地局によってUEに割り振られるダウンリンクリソースの数を調整するために、UEの無線アクセス能力およびUEによって報告された測定報告に従って第1の基地局によって基地局に割り振られる、UEの無線アクセス能力を満足させるデータ割り振り情報を受信する。このようにして、UEへ送信されるデータの量が、UEの無線アクセス能力に従って受信することのできるデータの量を満足させ、それによって事実上、UEが受信するデータの完全性および正確さが保証される。
【０１９４】
図19を参照すると、本発明は、送受信機190を含むユーザ機器を提供する。
【０１９５】
送受信機190は、第1のデータ割り振り情報に従って第1の基地局によって送信される第1のデータを受信する。
【０１９６】
送受信機190はさらに、第2のデータ割り振り情報に従って第2の基地局によって送信される第2のデータを受信する。第1のデータ割り振り情報および第2のデータ割り振り情報は、UEの無線受信能力に従って第1の基地局によって決定され、同じTTIにおいてUEによって受信される、第1の基地局によって送信される第1のデータおよび第2の基地局によって送信される第2のデータの総量は、UEの無線アクセス能力に従ってUEが受信することのできるデータの総量を超えない。
【０１９７】
また本発明のユーザ機器は、前述の方法実施形態においてユーザ機器によって行われる動作も行うことができる。送受信機190は、方法実施形態においてユーザ機器によって行われる受信動作および送信動作を行うことができる。
【０１９８】
さらに、本発明のユーザ機器は、第1のデータ送信速度と第2のデータ送信速度との差の絶対値が事前設定閾値より大きいと判定される場合に、第1の基地局または第2の基地局に、データ送信速度を調整するよう通知するプロセッサをさらに含むことができる。
【０１９９】
本発明の本実施形態においては、UEが、キャリアアグリゲーションに関与する複数の基地局によってUEに割り振られるダウンリンクリソースの数を調整するために、UEの無線アクセス能力およびUEによって報告された測定報告に従って第1の基地局によって第1の基地局および第2の基地局に割り振られるデータ割り振り情報を受信する。このようにして、UEへ送信されるデータの量が、UEの無線アクセス能力に従って受信することのできるデータの量を満足させ、それによって事実上、UEが受信するデータの完全性および正確さが保証される。
【０２００】
結論として、本発明の実施形態においては、第1の基地局が、第1の基地局によってUEへデータを送信するのに使用される第1のデータ割り振り情報を決定し、第1の基地局とキャリアアグリゲーションを行う第2の基地局によってUEへデータを送信するのに使用される第2のデータ割り振り情報を決定し、第1の基地局は第2の基地局に、決定された第2のデータ割り振り情報に従ってUEへデータを送信するよう命令し、第1の基地局は、決定された第1のデータ割り振り情報に従ってUEへデータを送信し、同じTTIにおいて第1の基地局および第2の基地局によってUEへ送信されるデータの総量は、UEの無線アクセス能力に従って受信することのできるデータの総量を超えない。本発明の技術的解決策を用いることにより、キャリアアグリゲーションに関与する複数の基地局をUEにダウンリンクリソースを割り振るために協調させることができ、そのため、UEへ送信されるデータの量がUEの無線アクセス能力を満足させ、それによって、UEが受信するデータ正しさが保証される。
【０２０１】
本発明の各実施形態は、方法、システム、またはコンピュータプログラム製品として提供することができることを当業者は理解するはずである。したがって、本発明は、ハードウェアのみの実施形態、ソフトウェアのみの実施形態、またはソフトウェアとハードウェアの組み合わせを用いた実施形態の形態を用いることができる。さらに、本発明は、コンピュータ使用可能プログラムコードを含む（それだけに限らないが、ディスクメモリ、CD-ROM、光メモリなどを含む）1つまたは複数のコンピュータ使用可能記憶媒体上に実装されたコンピュータプログラム製品の形態を使用することもできる。
【０２０２】
本発明は、本発明の実施形態による方法、デバイス（システム）、およびコンピュータプログラム製品の流れ図および／またはブロック図を参照して説明されている。コンピュータプログラム命令は、流れ図および／またはブロック図内の各プロセスおよび／または各ブロック、ならびに流れ図および／またはブロック図内のプロセスおよび／またはブロックの組み合わせを実現するのに使用することができることを理解すべきである。これらのコンピュータプログラム命令は、汎用コンピュータ、専用コンピュータ、埋め込みプロセッサ、または任意の他のプログラマブルデータ処理デバイスのプロセッサがマシンを生成するために提供することができ、これにより、コンピュータまたは任意の他のプログラマブルデータ処理デバイスのプロセッサによって実行される命令は、流れ図内の1つもしくは複数のプロセスおよび／またはブロック図内の1つもしくは複数のブロックにおける特定の機能を実現するための装置を生成する。
【０２０３】
これらのコンピュータプログラム命令は、コンピュータまたは任意の他のプログラマブルデータ処理デバイスに特定の方式で動作するよう命令することができるコンピュータ可読媒体に記憶することもでき、これにより、コンピュータ可読媒体に記憶された命令は命令装置を含む製品を生成する。命令装置は、流れ図内の1つもしくは複数のプロセスおよび／またはブロック図内の1つもしくは複数のブロックにおける特定の機能を実現する。
【０２０４】
これらのコンピュータプログラム命令は、コンピュータまたは別のプログラマブルデータ処理デバイスにロードすることもでき、これにより、一連の動作およびステップがコンピュータまたは別のプログラマブルデバイス上で行われ、それによって、コンピュータ実装処理が生成される。したがって、コンピュータまたは別のプログラマブルデバイス上で実行される命令は、流れ図内の1つもしくは複数のプロセスおよび／またはブロック図内の1つもしくは複数のブロックにおける特定の機能を実現するためのステップを提供する。
【０２０５】
本発明のいくつかの好ましい実施形態を説明したが、当業者は、基本的な発明概念を知れば、これらの実施形態に変更および改変を加えることができる。したがって、添付の特許請求の範囲は、これら好ましい実施形態ならびに本発明の範囲内に含まれるあらゆる変更および改変を包含するものとして解釈すべきことが意図されている。
【０２０６】
当業者が、本発明の実施形態の範囲を逸脱することなく本発明の実施形態に様々な改変および変形を加えることができることは自明である。本発明は、これらの改変および変形が添付の特許請求の範囲および添付の特許請求の範囲と均等な技術によって定義される保護の範囲内に含まれるという条件で、これらの改変および変形を包含すべきものである。
【符号の説明】
【０２０７】
140  送信部
141  命令部
142  決定部
143  調整部
150  送信部
151  受信部
152  決定部
160  データ受信部
161  決定部
170  メモリ
171  プロセッサ
180  送受信機
181  メモリ
190  送受信機
【図１】
0006478246.tif 000004
【図２】
0006478246.tif 000005
【図３】
0006478246.tif 000006
【図４】
0006478246.tif 000007
【図５】
0006478246.tif 000008
【図６】
0006478246.tif 000009
【図７】
0006478246.tif 000010
【図８】
0006478246.tif 000011
【図９】
0006478246.tif 000012
【図１０】
0006478246.tif 000013
【図１１】
0006478246.tif 000014
【図１２】
0006478246.tif 000015
【図１３】
0006478246.tif 000016
【図１４】
0006478246.tif 000017
【図１５】
0006478246.tif 000018
【図１６】
0006478246.tif 000019
【図１７】
0006478246.tif 000020
【図１８】
0006478246.tif 000021
【図１９】
0006478246.tif 000022